(57)【要約】【課題】ＷＥＢページの客観性評価やソーシャルネットワークの形成に寄与しつつ、その付加情報をより見易く、より使い易いようにする。【解決手段】部分コンテンツに付加情報を付与できるようにするとともに、付加情報の表示を分類によってフィルタリングできるようにした。【選択図】図５
2013037449.tif 000002
【特許請求の範囲】
【請求項１】
ＷＥＢサーバからページデータを受信してこのページデータが示すＷＥＢページを画面に表示するブラウザを備えた端末と、この端末ブラウザに通信可能に接続された情報制御サーバとを具備した情報共有システムであって、
前記端末は、
画面に表示されたＷＥＢページの部分コンテンツを選択する選択操作、選択された部分コンテンツに対する付加情報の入力操作、及びこの付加情報が属する分類の入力操作を受け付ける情報入力受付部と、
入力された付加情報を示す付加情報データを生成するとともに、この付加情報データに対して、前記ＷＥＢページを特定するためのページ特定データ、選択された部分コンテンツを特定するための部分コンテンツ特定データ、及び入力された分類を示す分類データを関連付け、それら付加情報データ、ページ特定データ、部分コンテンツ特定データ及び分類データを前記情報制御サーバに送信するデータ送信部と、を具備したものであり、
前記情報制御サーバは、
端末から送信されてきた付加情報データ、ページ特定データ及び部分コンテンツ特定データを受信するデータ受信部と、
受信した付加情報データ、ページ特定データ及び部分コンテンツ特定データを蓄積するデータ蓄積部と、
前記端末において表示されるＷＥＢページが特定され、かつ表示すべき付加情報が属する分類が設定されると、その分類に属する付加情報データ及び部分コンテンツ特定データを前記データ蓄積部から抽出して前記端末に送信するデータ抽出部と、を具備したものであり、
前記端末が、前記データ抽出部から付加情報データ及び部分コンテンツ特定データを受信して、その付加情報を対応する部分コンテンツに関連づけて当該ＷＥＢページ上に表示する表示制御部をさらに具備したものであることを特徴とする情報共有システム。
【発明の詳細な説明】
【技術分野】
【０００１】
本発明は、ＷＥＢページに書込み等の情報を付加してその付加情報をＷＥＢページ閲覧者が共有できるようにした情報共有システムに関するものである。
【背景技術】
【０００２】
ＷＥＢページは、誰もが自由な情報や意見を広く開示できるという利点を有する一方で、その内容の妥当性や客観性に対する検証がなされていないことから、間違った情報が流布したり、情報操作に用いられたりして、社会的な問題や不測の事態が発生する危険性をはらんでいる。
【０００３】
そこで従来、ＷＥＢページに第３者が注釈（アノテーション）を付ける技術が開発されている。一般的には、ページに例えばコメントボタンや賛同ボタンが設けられていて、そのボタンをクリックすることによって、別ウィンドウが立ち上がり、そのウィンドウに該ページに対するコメントや可否を書き込んだり、閲覧したりすることができる。このことによって、ＷＥＢページとともにその内容に対する第３者の意見等を閲覧できるので、ソーシャルネットワークの形成や、ＷＥＢページの内容検証に資することもできる。
【０００４】
ところで、上述した構成では、アノテーションがＷＥＢページとは別に表示されるため、ページのどこに対するコメントなのか分かりにくいといった問題点がある。そこで、近時では、特許文献１に記載の技術やＳｃｒｉｂｌｅ社の発表したＷＥＢアノテーションツール等が開発されつつある。これらの技術によれば、ＷＥＢページ上において、そのコンテンツの一部に色を付けて強調したり、それに注記を貼り付けることができる。
【先行技術文献】
【特許文献】
【０００５】
【特許文献１】特開２００７−２３３５９６号公報
【発明の概要】
【発明が解決しようとする課題】
【０００６】
しかし、上述したＷＥＢアノテーションツールでは、多くの参加者が注釈を書き込んだ場合、ＷＥＢページが煩雑となって非常に見にくくなる。
【０００７】
本発明はかかる課題を鑑みてなされたものであって、ＷＥＢページに第３者がアノテーション等のような種々の情報を付加できるようにしてＷＥＢページの客観性評価やソーシャルネットワークの形成に寄与しつつ、その付加情報をより見易く、より使い易いようにすることをその主目的としたものである。
【課題を解決するための手段】
【０００８】
すなわち、本発明に係る情報共有システムは、ＷＥＢサーバからページデータを受信してこのページデータが示すＷＥＢページを画面に表示するブラウザを備えた端末と、この端末ブラウザに通信可能に接続された情報制御サーバとを具備したものであって、
ＷＥＢサーバからページデータを受信してこのページデータが示すＷＥＢページを画面に表示するブラウザを備えた端末と、この端末ブラウザに通信可能に接続された情報制御サーバとを具備した情報共有システムである。
【０００９】
前記端末は、
画面に表示されたＷＥＢページの部分コンテンツを選択する選択操作、選択された部分コンテンツに対する付加情報の入力操作、及びこの付加情報が属する分類の入力操作を受け付ける情報入力受付部と、
入力された付加情報を示す付加情報データを生成するとともに、この付加情報データに対して、前記ＷＥＢページを特定するためのページ特定データ、選択された部分コンテンツを特定するための部分コンテンツ特定データ、及び入力された分類を示す分類データを関連付け、それら付加情報データ、ページ特定データ、部分コンテンツ特定データ及び分類データを前記情報制御サーバに送信するデータ送信部と、を具備したものである。
【００１０】
前記情報制御サーバは、
端末から送信されてきた付加情報データ、ページ特定データ及び部分コンテンツ特定データを受信するデータ受信部と、
受信した付加情報データ、ページ特定データ及び部分コンテンツ特定データを蓄積するデータ蓄積部と、
前記端末において表示されるＷＥＢページが特定され、かつ表示すべき付加情報が属する分類が設定されると、その分類に属する付加情報データ及び部分コンテンツ特定データを前記データ蓄積部から抽出して前記端末に送信するデータ抽出部と、を具備したものである。
【００１１】
そして、前記端末が、前記データ抽出部から付加情報データ及び部分コンテンツ特定データを受信して、その付加情報を対応する部分コンテンツに関連づけて当該ＷＥＢページ上に表示する表示制御部をさらに具備したものであることを特徴とする。
【発明の効果】
【００１２】
このように構成した本発明によれば、ページ情報を部分コンテンツにマイクロ化して、その部分コンテンツに付加情報を付与するので、ページのどの部分に対応した付加情報なのかを容易に把握することができ、使い勝手も向上できる。
【００１３】
また、付加情報が多くなっても、分類によって表示される付加情報をフィルタリングできるので、見やすさを担保できる。
さらに、この見やすさや使い勝手の良さから、ソーシャルネットワークの形成にも寄与しうる。ＷＥＢサーバに負担をかけることもない。
【図面の簡単な説明】
【００１４】
【図１】本発明の一実施形態における情報共有システムの全体構成図。
【図２】同実施形態における端末及び情報制御サーバの機能ブロック図。
【図３】同実施形態における端末の画面例。
【図４】同実施形態における端末の画面例。
【図５】同実施形態における端末の画面例。
【図６】同実施形態における吹き出しの構成例。
【図７】同実施形態における吹き出しの構成例。
【発明を実施するための形態】
【００１５】
本実施形態に係る情報共有システム１００は、図１に示すように、ＷＥＢサーバ３からページデータを受信してこのページデータが示すＷＥＢページを画面に表示するブラウザを備えた複数の端末１と、これら端末１にインターネットNを介して通信可能に接続された情報制御サーバ２とを具備したものである。
【００１６】
前記端末１は、ハードウェア的には、ＣＰＵ、メモリ、通信インタフェース、ディスプレイ、キーボードなどの入力手段等を備えたものであり、ソフトウェア的にはブラウザを有している。そして、インターネットNを介してＷＥＢサーバにアクセスすることによって、ＷＥＢページをディスプレイに表示することができる。
【００１７】
さらにこの端末１は、例えばプラグインソフト（プログラム）をインストールすることによって、図２に示すように、情報入力受付部、データ送信部、表示制御部、表示要求入力部等としての機能を発揮する。これら各部の詳細は後述する。
【００１８】
一方、情報制御サーバ２は、ハードウェア的には、ＣＰＵ、メモリ、通信インタフェース、ディスプレイ、キーボードなどの入力手段等を備えたものであり、ソフトウェア的には、所定のプログラムをインストールすることによって、図２に示すように、データ受信部、データ蓄積部、データ抽出部等としての機能を発揮する。これら各部の詳細は後述する。
次に、かかる構成の情報共有システム１００について、その動作を前記各部の機能説明を兼ねて詳述する。
【００１９】
まず、端末１のユーザが本システム１００を利用するには、図３に示すように、ブラウザ上で本システムを利用するためのボタンをクリックしてユーザＩＤ及びパスワードを入力しログインする。このことにより、種々のツールバーがブラウザに表示される。
【００２０】
しかして、該ユーザが付加情報を追加するには、付加情報を追加したい部分コンテンツを、例えばマウスによって選択した途端（クイックモード）、あるいは選択してから「コメント」の制御ボタンをクリックする。このことによって、図４に示すように、四角い吹き出し入力画面Ｓ１が現れる。その入力画面Ｓ１に、例えばテキストを入力し、画像や音声であれば画像ファイルや音声ファイルをドラッグし、賛成、反対などの２値情報であれば対応するボタンをクリックすることによって、所望の付加情報をＷＥＢページ上に貼り付けることができる。なお、ここで言う付加情報としては、前記部分コンテンツに対するコメント、賛同か不賛同かの２値情報、問題に対する解答、関連画像などである。
【００２１】
またこのとき、分類を表示した選択バー（図示しない）が現れるので、貼り付けた付加情報の内容に応じた分類を、新たに入力するか、あるいは既存の分類から選択することができる。なお、ここで言う分類とは、付加情報の内容に応じた分類であって、例えば、解説、意見、評価値、風景画像、関連記事紹介などである。
【００２２】
次に、前述したデータ送信部が、入力された付加情報を示す付加情報データに対して、前記ＷＥＢページを特定するためのページ特定データ（ここではページＵＲＬ）、選択された部分コンテンツを特定するための部分コンテンツ特定データ（以下、コンポーネントＩＤとも言う）、及び入力された分類を示す分類データ（以下、チャンネルデータとも言う）を関連付けるとともに、それら付加情報データ、ページ特定データ、部分コンテンツ特定データ及び分類データを含む付加情報関連データを前記情報制御サーバ２に送信する。
【００２３】
なお、この実施形態では、付加情報関連データに、ユーザＩＤや種々のグループ（例えば家族、親戚、友人、会社）などを示すグループＩＤも含まれるようにしてある。その他、この付加情報作成者が、閲覧可能なユーザを指定することもできる。その場合は、指定された閲覧者を示すユーザＩＤやその他のフィルタリング情報（地域、男女等）も付加情報関連データに含めることができる。
【００２４】
また、ユーザは、１つのＷＥＢページにおける複数の部分コンテンツに対し、それぞれ付加情報を付加することができるが、これを閲覧するときの表示順序を定めることができ、その順序を示す順序データを前記付加情報関連データに含めることができる。
【００２５】
このようにして、付加情報関連データが送信されると、前記情報制御サーバ２におけるデータ受信部がこれを受信し、メモリの所定領域に設定したデータ蓄積部に格納する。
【００２６】
一方、端末１のユーザが付加情報を見る場合は、図５に示すように、表示ツールバーＳ２の中から見たい付加情報を選択する。選択のパラメータとしては、前記分類やグループ名、付加情報のファイル形式、キーワードなどがある。これらパラメータの組み合せで、付加情報をフィルタリングすることもできる。
【００２７】
このような表示要求入力を端末１の表示要求入力部が受け付けて、情報制御サーバ２に送信要求を出す。そうすると、情報制御サーバ２のデータ抽出部がその送信要求を受け付けて、データ蓄積部からそのＷＥＢページに対応する付加情報データ、ページ特定データ、部分コンテンツ特定データ等を抽出し、当該端末１に送信する。これらデータをこの端末の表示制御部が受信し、その受信したデータに基づいて、他の端末ユーザや自身が過去に作成した、そのＷＥＢページに係る付加情報が、図５に示すように、当該ページの対応する部分コンテンツに関連付けて表示される。
【００２８】
例えばここでは、部分コンテンツに下線が引かれ、その部分コンテンツから吹き出しが現れて、その吹き出しＳ１の中に付加情報が表示される。吹き出しＳ１は、例えば透過度を変更操作可能なシースルーになっており、その裏側にある元々のコンテンツも見えるように構成してある。なお、動画や音声については、吹き出しの中にデータ形式あるいはプレビューが表示され、その中をクリックすることによって動画や音声が再生されるようになっている。
【００２９】
また、表示された付加情報に対して、閲覧者がさらに付加情報を追加することもできる。ここでは、付加情報に対して賛同するか、反対するかに係る付加情報をデフォルトで選択できるようになっている。その他、例えば親となる付加情報にカーソルを合わせると、追加ウィンドウが現れてそこに入力することによって種々の付加情報の追加もできる。このように追加された付加情報は、情報制御サーバ２に送信されて、親となる付加情報に階層構造的に付帯されて、前記データ蓄積部に蓄積される。
【００３０】
なお、同じ部分コンテンツに複数の付加情報がある場合は、例えば図６に示すように吹き出しが部分的に重なって表示され、上述した子付加情報がある場合は、その子付加情報は例えば図７に示すような態様で表示される。
【００３１】
付加情報は、同時に表示することもできるし、順番に表示することもできる。その順番は、前述したように付加情報作成者が順序を定めていた場合に限る。これら付加情報は、自動的に一定間隔で次々現れるようにしてもよいし、最初の付加情報を見た後、ユーザがクリックなど、なんらかのイベント動作をすることによって次の付加情報が現れるようにしてもよい。
【００３２】
さらにこの実施形態では、ＷＥＢサイト（ＷＥＢページ）の持ち主が、種々のパラメータで予めフィルタリングした付加情報のみの表示を許可できるように構成している。
【００３３】
具体的には、例えば、ＷＥＢページのファイル（ＨＴＭＬファイルなど）の中に、付加情報の表示を一切禁止するコマンドや、ユーザを分類し該当する所定ユーザのみの付加情報の表示を許可するコマンドなどを埋めこむことで、前記情報制御サーバが該コマンドを読み込み、そのコマンドに該当するユーザや内容等の付加情報の表示の可否をコントロールする。なお、表示が禁止された付加情報は１つのページにまとめられて、情報制御サーバに蓄積される。
【００３４】
また、サイトの持ち主は、自分のページに特殊な文字列を埋めこむことで、自分がサイト主であるとことを情報制御サーバに認証させ、それによって自分のページ上に表示された付加情報を削除したり、前述した表示禁止付加情報をまとめたページを閲覧したりすることができる。
さらに、付加情報には生存期間を与えて、作成から一定期間を超えた付加情報を削除するようにしても良い。
端末の各機能部をブラウザに標準装備しても良い。
【００３５】
その他、本発明は、前記実施形態に限られず、例えば各実施形態の部分要素を適宜組み合わせるなど、本発明の趣旨に反しない限りにおいて、様々な変形が可能であることは言うまでも無い。
【符号の説明】
【００３６】
１００・・・情報共有システム
１・・・端末
２・・・情報制御サーバ
３・・・ＷＥＢサーバ
【図１】
2013037449.tif 000003
【図２】
2013037449.tif 000004
【図３】
2013037449.tif 000005
【図４】
2013037449.tif 000006
【図５】
2013037449.tif 000007
【図６】
2013037449.tif 000008
【図７】
2013037449.tif 000009